(57)【要約】【課題】複数の像担持体における光束の射出タイミング間のズレ量が全体として略最小となるようにする。【解決手段】第１像担持体に対する光束を射出する第１光源及び第２光源についてそれぞれの射出タイミング間のズレ量と、第２像担持体に対する光束を射出する第３光源及び第４光源についてそれぞれの射出タイミング間のズレ量を取得する。各光源について射出タイミングを補正する際の最小単位とズレ量との差又はズレ量そのものを射出タイミングを、遅らせるための遅れ補正量とする。遅れ補正量と最小単位との差を、射出タイミングを進ませる進み補正量とする。各光源における射出タイミングを補正する際に使用する遅れ補正量と進み補正量との組み合わせのうち、最も早い射出タイミングと最も遅い射出タイミングとの差が最小となる組み合わせを選択して、各光源の射出タイミングを補正する。【選択図】図１３
2009126109.tif 000002
【特許請求の範囲】
【請求項１】
多色画像を形成するために平行に配置された複数の像担持体と、
前記複数の像担持体のそれぞれについて設けられ、対応する１つの該像担持体につき複数の光束を射出する複数の光源と、
各光源から射出された前記複数の光束を対応する前記像担持体へ偏向走査する、複数の反射面を有した偏向走査手段と、
前記複数の光束のうち基準となる第１光源から出力されて偏向走査された基準光束を受光して基準信号を出力する基準信号出力手段と、
前記複数の光源が前記像担持体へ光束を射出する射出タイミングを同期させるための同期信号を前記基準信号から生成する同期信号生成手段と、
各光源において前記像担持体へ光束を射出する射出タイミングを前記同期信号から決定する射出タイミング決定手段と
を含み、
前記射出タイミング決定手段は、
前記複数の像担持体のうち第１像担持体に対する光束を射出する前記第１光源及び第２光源についてそれぞれの射出タイミング間のズレ量と、前記複数の像担持体のうち第２像担持体に対する光束を射出する第３光源及び第４光源についてそれぞれの射出タイミング間のズレ量とを記憶する記憶手段と、
各光源について、前記射出タイミングを補正する際の最小単位と前記ズレ量との差又は該ズレ量そのものを、前記射出タイミングを遅らせるための遅れ補正量として決定するとともに、前記遅れ補正量と前記最小単位との差を、前記射出タイミングを進ませる進み補正量として決定する補正量決定手段と、
各光源における射出タイミングを補正する際に使用する前記遅れ補正量と前記進み補正量との組み合わせのうち、最も早い射出タイミングと最も遅い射出タイミングとの差が最小となる組み合わせを選択して、各光源の射出タイミングを補正する補正手段と
を含むことを特徴とする画像形成装置。
【請求項２】
前記補正手段は、前記複数の光源のうち、前記第１光源と同一の反射面を利用する光源については前記遅れ補正量を適用して射出タイミングを補正し、前記第１光源とは異なる反射面を利用する光源とについては前記進み補正量を適用して射出タイミングを補正することを特徴とする請求項１に記載の画像形成装置。
【請求項３】
前記補正手段は、前記複数の光源のうち、前記第１光源と同一の反射面を利用する光源については前記進み補正量を適用して射出タイミングを補正し、前記第１光源とは異なる反射面を利用する光源については前記遅れ補正量を適用して各射出タイミングを補正することを特徴とする請求項１に記載の画像形成装置。
【請求項４】
前記遅れ補正量は、前記最小単位のｎ倍（ｎは自然数）を前記ズレ量から減算したときの差のうち負とならない最小値と、前記ズレ量そのものとのうち相対的に小さいほうの値であることを特徴とする請求項１に記載の画像形成装置。
【請求項５】
前記進み補正量は、前記最小単位のｎ倍（ｎは自然数）を前記ズレ量から減算したときの差のうち、符号が負となり、かつ、該差の絶対値が最小となる値であることを特徴とする請求項１に記載の画像形成装置。
【請求項６】
多色画像を形成するために平行に配置された複数の像担持体と、
前記複数の像担持体のそれぞれについて設けられ、対応する１つの該像担持体につき複数の光束を射出する複数の光源と、
各光源から射出された前記複数の光束を対応する前記像担持体へ偏向走査する、複数の反射面を有した偏向走査手段と、
前記複数の光束のうち基準となる第１光源から出力されて偏向走査された基準光束を受光して基準信号を出力する基準信号出力手段と、
前記複数の光源が前記像担持体へ光束を射出する射出タイミングを同期させるための同期信号を前記基準信号から生成する同期信号生成手段と、
各光源において前記像担持体へ光束を射出する射出タイミングを前記同期信号から決定する射出タイミング決定手段と
を含む画像形成装置の制御方法であって、
前記複数の像担持体のうち第１像担持体に対する光束を射出する前記第１光源及び第２光源についてそれぞれの射出タイミング間のズレ量と、前記複数の像担持体のうち第２像担持体に対する光束を射出する第３光源及び第４光源についてそれぞれの射出タイミング間のズレ量とを記憶手段から取得する取得工程と、
各光源について、前記射出タイミングを補正する際の最小単位と前記ズレ量との差又は該ズレ量そのものを、前記射出タイミングを遅らせるための遅れ補正量として決定するとともに、前記遅れ補正量と前記最小単位との差を、前記射出タイミングを進ませる進み補正量として決定する補正量決定工程と、
各光源における射出タイミングを補正する際に使用する前記遅れ補正量と前記進み補正量との組み合わせのうち、最も早い射出タイミングと最も遅い射出タイミングとの差が最小となる組み合わせを選択して、各光源の射出タイミングを補正する補正工程と
を含むことを特徴とする画像形成装置の制御方法。
【発明の詳細な説明】
【技術分野】
【０００１】
本発明は、一般に画像形成装置に係り、とりわけ、電子写真方式の多色画像形成装置に関する。
【背景技術】
【０００２】
近年、インクジェット方式のプリンターが急速にカラー化にシフトしたことに続き、電子写真方式の画像形成装置もモノクロ機からカラー機へとシフトしてきている。
【０００３】
電子写真方式のカラー画像形成装置を大別すると、１ドラム型とタンデム型に分けられる。１ドラム型は、１つの像担持体の回りに複数色の現像装置を備え、各現像装置でトナーを付着させて像担持体上に合成トナー像を形成し、そのトナー像を転写して記録媒体にカラー画像を記録する方式である。一方、タンデム型は、複数の像担持体にそれぞれ単色のトナー画像を形成し、それらの単色トナー像を順次転写して記録媒体に合成カラー画像を記録する方式のものである。
【０００４】
１ドラム型とタンデム型の画像形成装置を比較すると、１ドラム型は像担持体が１つであるから、タンデム型と比べて画像形成部を小型化することができ、低コストであるという利点がある。しかし、１ドラム型は、１つの像担持体を用いて複数回画像形成を繰り返してカラー画像を形成するため、画像形成の高速化に向いていない。これに対し、タンデム型は、小型化、コストの面で１ドラム型より劣るものの、各色独立で画像形成を行えるため、高速化に向いている。よって、カラー画像形成装置では、画像形成速度の点からモノクロ並みのスピードが得られるタンデム型が近年非常に注目されている。
【０００５】
さらにタンデム型のカラー画像形成装置は、像担持体１つにつき１つのレーザースキャナユニットを装備しているタイプと、複数の像担持体に対しレーザースキャナユニットを１つもしくはＮ個（Ｎ＜像担持体の数）しか装備しないタイプに大別される。
【０００６】
後者の画像形成装置では、複数のレーザーを１つのポリゴンミラーに照射し、折り返しミラー等を用いて各像担持体に照射するため、レーザースキャナユニットの構成が複雑となる。しかし、後者は、ポリゴンモータ、ミラー、ビーム検知（ＢＤ）センサは１つ装備すればよく、前者に比べコストが安くなるメリットがある（特許文献１）。
【０００７】
また、タンデム型の画像形成装置は、各像担持体上に形成される画像を重ね合わせることで多色画像を形成するため、重ねた際のズレ量を検知して各像担持体上に対するレーザー光の照射タイミングを補正する必要がある。
【特許文献１】特開２００４−３４５１７１号公報
【発明の開示】
【発明が解決しようとする課題】
【０００８】
ところで、画像形成速度を向上させるために、１つの像担持体に複数のレーザー光を同時並行的に照射する画像形成装置も存在する。このような画像形成装置では、１つの像担持体に照射される複数のレーザー光間における画像書き出し位置のズレ量を小さくすることが要求される。一般に、画像書き出し位置は、レーザー光の射出タイミング（書き出しタイミング）によって決まる。
【０００９】
しかし、像担持体の数よりも少ない数のレーザースキャナユニットしか装備しないタンデム方式の画像形成装置では、各像担持体においてそれぞれ走査方向が異なる場合があり、画像書き出し位置のズレ量を小さくすることは困難であった。すなわち、各像担持体単位では複数のレーザー間のズレ量を略最小に補正できるが、複数の像担持体間のズレ量は必ずしも最小にならないからである。なぜなら、ＢＤセンサから出力された基準信号に対して、画像形成のタイミングは、遅れる方向のジッタを有しているからである。
【００１０】
そこで、本発明は、このような課題および他の課題のうち、少なくとも１つを解決することを目的とする。たとえば、本発明は、複数の像担持体における光束の射出タイミング間のズレ量が全体として略最小となるようにすることを目的とする。なお、他の課題については明細書の全体を通して理解できよう。
【課題を解決するための手段】
【００１１】
本発明は、たとえば、複数の像担持体、複数の光源及び偏向走査手段とを含む画像形成装置に適用される。複数の像担持体は、多色画像を形成するために平行に配置されている。複数の光源は、複数の像担持体のそれぞれについて設けられ、対応する１つの像担持体につき複数の光束を射出する。偏向走査手段は、各光源から射出された前記光束を対応する像担持体へ偏向走査する。さらに、画像形成装置は、基準信号出力手段、同期信号生成手段及び射出タイミング決定手段を含む。基準信号出力手段は、複数の光束のうち基準となる第１光源から出力されて偏向走査された基準光束を受光して基準信号を出力する。同期信号生成手段は、複数の光源が像担持体へ光束を射出するタイミングを同期させるための同期信号を前記基準信号から生成する。射出タイミング決定手段は、各光源において光束を射出するタイミングを同期信号から決定する。射出タイミング決定手段は、記憶手段、補正量決定手段及び補正手段を含む。記憶手段は、複数の像担持体のうち第１像担持体に対する光束を射出する第１光源及び第２光源についてそれぞれの射出タイミング間のズレ量を記憶している。また、記憶手段は、複数の像担持体のうち第２像担持体に対する光束を射出する第３光源及び第４光源についてそれぞれの射出タイミング間のズレ量を記憶している。補正量決定手段は、各光源について、射出タイミングを補正する際の最小単位とズレ量との差又はズレ量そのものを、射出タイミングを遅らせるための遅れ補正量として決定する。また、補正量決定手段は、遅れ補正量と最小単位との差を、射出タイミングを進ませる進み補正量として決定する。補正手段は、各光源における射出タイミングを補正する際に使用する遅れ補正量／進み補正量の組み合わせのうち、最も早い射出タイミングと最も遅い射出タイミングとの差が最小となる組み合わせを選択して、各光源の射出タイミングを補正する。
【発明の効果】
【００１２】
本実施形態では、複数の像担持体における光束の射出タイミング間のズレ量が全体として略最小となる。よって、色ずれなどの画質の劣化を低減することが可能となる。
【発明を実施するための最良の形態】
【００１３】
以下に本発明の一実施形態を示す。以下で説明される個別の実施形態は、本発明の上位概念、中位概念および下位概念など種々の概念を理解するために役立つであろう。また、本発明の技術的範囲は、特許請求の範囲によって確定されるのであって、以下の個別の実施形態によって限定されるわけではない。
【００１４】
図１は、本発明を適用できる電子写真方式でタンデム型の多色画像形成装置の概略構成図である。画像形成装置１００は、４つの画像形成部（画像形成ユニット）を備えている。画像形成装置１００は、たとえば、印刷装置、プリンター、複写機、複合機、ファクシミリとして実現できる。
【００１５】
画像形成部１Ｙは、イエロー色の画像を形成する。画像形成部１Ｍは、マゼンタ色の画像を形成する。画像形成部１Ｃは、シアン色の画像を形成する。画像形成部１Ｂｋは、ブラック色の画像を形成する。これら４つの画像形成部１Ｙ，１Ｍ，１Ｃ，１Ｂｋは一定の間隔をおいて平行に配置されている。画像形成部の下方には、記録媒体を格納及び給紙する給紙ユニット１７、２０、記録媒体の搬送パス１８、レジストローラ１９を備えている。画像形成部の上方には、未定着トナー像を記録媒体に定着させる定着ユニット１６を備えている。
【００１６】
各画像形成部１Ｙ，１Ｍ，１Ｃ，１Ｂｋには、それぞれ像担持体としてのドラム型の電子写真感光体（以下、感光ドラムという）２ａ，２ｂ，２ｃ，２ｄが設置されている。感光ドラム２ａ，２ｂ，２ｃ，２ｄは、平行に並んだ複数の像担持体の一例である。各感光ドラム２ａ，２ｂ，２ｃ，２ｄの周囲には、一次帯電器３ａ，３ｂ，３ｃ，３ｄ、現像装置４ａ，４ｂ，４ｃ，４ｄ、転写ローラ５ａ，５ｂ，５ｃ，５ｄ、ドラムクリーナ装置６ａ、６ｂ、６ｃ、６ｄがそれぞれ配置されている。一次帯電器３ａ，３ｂ，３ｃ，３ｄと現像装置４ａ，４ｂ，４ｃ，４ｄの下方には、レーザー露光装置７が設置されている。
【００１７】
レーザー露光装置７は、与えられる画像情報を表す時系列的なデジタルの画素信号に対応して発光を行う光源、ポリゴンミラー、反射ミラー等で構成される。レーザー露光装置７は、各感光ドラム２ａ、２ｂ、２ｃ、２ｄの表面を露光することによって、画像情報に応じた各色の静電潜像を形成する。なお、レーザー露光装置は、たとえば、走査式光学装置、光走査装置、スキャナ装置又はレーザースキャナユニットと呼ばれることもある。また、レーザー露光装置７は、各光源から射出された光束を対応する像担持体へ偏向走査する偏向走査手段の一例である。
【００１８】
各現像装置４ａ，４ｂ，４ｃ，４ｄは、それぞれイエロートナー、シアントナー、マゼンタトナー、ブラックトナーを収納している。各現像装置は、感光ドラム２ａ，２ｂ，２ｃ，２ｄ上に形成された各静電潜像に各色のトナーを付着させてトナー像として現像（可視像化）する。
【００１９】
転写ローラ５ａ，５ｂ，５ｃ，５ｄは、各一次転写部３２ａ〜３２ｄにて中間転写ベルト８を介して各感光ドラム２ａ，２ｂ，２ｃ，２ｄに当接可能に配置されている。各感光ドラム上のトナー像は、順次、中間転写ベルト８上に多重（重畳）転写されていく。
【００２０】
ドラムクリーナ装置６ａ、６ｂ、６ｃ、６ｄは、クリーニングブレード等で構成される。各ドラムクリーナ装置は、感光ドラム上の一次転写時に残留した残トナーを掻き落とすことで、感光ドラムの表面を清掃する。
【００２１】
中間転写ベルト８は、各感光ドラム２ａ，２ｂ，２ｃ，２ｄの上面側に配置されている。また、中間転写ベルト８は、二次転写対向ローラ１０とテンションローラ１１との間に張架されている。二次転写対向ローラ１０は、二次転写部３４において、中間転写ベルト８を介して二次転写ローラ１２と当接可能に配置されている。中間転写ベルトに転写された画像は二次転写部３４において、給紙ユニット１７から搬送されてきた記録媒体上に転写される。記録媒体は、記録材、用紙、シート、転写材、転写紙と呼ばれることもある。
【００２２】
給紙ユニット１７は、記録媒体Ｐを収納するカセットや、手差しトレイ２０から記録媒体Ｐを一枚ずつ送り出すためのピックアップローラを備えている。各ピックアップローラから送り出された記録媒体Ｐをレジストローラまで搬送するためのレジストローラ１９や、画像形成部の画像形成タイミングに合わせて記録媒体Ｐを二次転写領域へ送り出すレジストローラ１９が存在する。
【００２３】
定着ユニット１６は、内部にセラミックヒータ基板などの熱源を備えた定着フィルム１６ａとセラミックヒータ基板にフィルムをはさんで加圧される加圧ローラ１６ｂを備えている。定着ユニット１６の搬送方向での前後にはローラ対のニップ部３１へ記録媒体Ｐを導くガイド、定着ユニット１６から排出された記録媒体Ｐを外部に導き出す外排紙ローラ２１が配設されている。
【００２４】
図２は、従来の画像形成装置における制御ユニットのブロック図である。制御ユニットは、主に、コントローラ部２００と画像処理部２５０とを備えている。
【００２５】
ＣＰＵ２０１は、画像形成装置１００の全体を制御する制御回路である。ＣＰＵ２０１は、ＲＯＭ２０３に記憶されている画像形成装置１００の制御プログラムを順次読み出して実行する。ＣＰＵ２０１のアドレスバスおよびデータバスはバスドライバ・アドレスデコーダ２０２をへて各負荷に接続されている。ＲＡＭ２０４は、入力データの記憶や作業用記憶領域等として用いられる主記憶装置である。
【００２６】
Ｉ／Ｏインターフェース２０６は、操作パネル２１８、モーター２０７、クラッチ２０８、ソレノイド２０９、紙検知センサ２１０、トナーセンサ２１１、スイッチ２１２、高圧ユニット２１３、ＢＤセンサ２１４などと接続されている。Ｉ／Ｏインターフェース２０６は、これらの各部とのデータの入出力を制御する。操作パネル２１８は、操作者がキー入力を行うためのキーや、装置の状態等を表示するための液晶やＬＥＤを備えている。モーター２０７は、給紙系、搬送系及び光学系を駆動するモーターを備えている。クラッチ２０８は、給紙系、搬送系及び光学系におけるクラッチである。ソレノイド２０９は、給紙系、搬送系及び光学系におけるソレノイドである。紙検知センサ２１０は、搬送されてきた記録媒体を検知するセンサである。トナーセンサ２１１は、現像装置に備えられており、現像装置内のトナー量を検知するセンサである。スイッチ２１２は、各負荷のホームポジションを示すスイッチや、ドアの開閉状態等を検知するためのスイッチである。高圧ユニット２１３は、ＣＰＵ２０１の指示に従って、１次帯電器３ａ〜３ｄ、現像装置４ａ〜４ｄなどに所定の高圧（商用電圧より高い電圧で、たとえば、数百ないし数千ボルト）を供給する。
【００２７】
ＰＷＭ部２１５は、画像処理部２５０から供給された画像信号に応じてレーザーユニット２１７を駆動するためのＰＷＭ（パルス幅変調）信号を生成して供給する。画像処理部２５０は、画像形成装置１００に接続されたパソコン２７０などから出力された画像信号に画像形成のための画像処理を施し、生成した画像信号をＰＷＭ部２１５へ出力する。レーザーユニット２１７は、各レーザー露光装置７に備えられている。各レーザーユニット２１７は、光束としてのレーザー光を射出する。基準光源となるレーザーユニット２１７から出力されたレーザー光は、ＢＤセンサ２１４によって検知され、その出力信号（ＢＤ信号）が基準信号としてＩ／Ｏインターフェース２０６に入力される。よって、ＢＤセンサ２１４は、複数の光束のうち基準となる第１光源から出力されて偏向走査された基準光束を受光して基準信号を出力する基準信号出力手段の一例である。
【００２８】
このＢＤ信号や、ＢＤ信号からＣＰＵ２０１により生成される同期ＢＤ信号は、主走査方向における画像の書き出し位置を決定するために使用される。一般に主走査方向は、感光ドラムの長手方向である。主走査方向に対して直交する方向は、一般に、副走査方向と呼ばれる。なお、同期ＢＤ信号を生成するＣＰＵ２０１は、複数の光源において像担持体へ光束を射出するタイミングの元になる同期信号を基準信号から生成する同期信号生成手段の一例である。あるいは、ＣＰＵ２０１以外の回路が同期信号生成手段として機能してもよい。
【００２９】
図３は、レーザー露光装置と画像形成部とを説明するための図である。１つのポリゴンミラー５０に対して両側にそれぞれ４本のレーザー光（１つの感光ドラムにつき２本のレーザー光）が入射する。各感光ドラムには、照射光Ｅ１〜Ｅ４が照射される。なお、照射光Ｅ１〜Ｅ４のそれぞれは、副走査方向においてずれた２本のレーザー光を含む。すなわち、全体では、８本のレーザー光が使用されている。副走査方向においてずれた２本のレーザー光を同時に射出することで、２本の走査線を同時並行的に形成できるため、画像形成速度が略２倍になる。
【００３０】
図３において、折り返しミラー５２ａ〜５２ｃは、それぞれレーザー光を所定の方向へ反射する光学部品である。第一の結像レンズ５３及び第二の結像レンズ５４、５５はｆθレンズとして機能し、レーザー光を感光ドラムの表面上で等速走査させ、かつ、その表面にスポット結像させる光学部品である。光学ケース５９は、レーザー露光装置７の各光学部品を格納するケースである。
【００３１】
この例では、ポリゴンミラー５０が中央に配置されており、各感光ドラムへの光学パスは左右対称形状である。そこで、照射光Ｅ１、Ｅ２のグループについて説明し、その反対側の照射光Ｅ３、Ｅ４のグループについての説明を省略する。
【００３２】
図３に示したレーザー露光装置７は、小型化を達成するために薄型ポリゴンミラーを使用した斜入射光学系を採用している。斜入射光学系では、ポリゴンミラー５０から出射した２本のレーザー光が上下に分離され、それぞれ各光路を進行する。ポリゴンミラーに代えて、他の種類の回転多面鏡（例：共振型の反射鏡など）が採用されてもよい。
【００３３】
図４Ａ及び図４Ｂは、ポリゴンミラー付近の拡大図である。ここでは、ポリゴンミラー５０の反射面の法線とポリゴンミラー５０の回転方向とで定義される平面を基本平面とする。基本平面の法線ベクトルは、ポリゴンミラーの回転軸と平行になっている。
【００３４】
図５は、図３に示したレーザー露光装置７の一部を示した平面図である。上述した基本平面は、図５において、Ｘ−Ｙ平面として記載されている。
【００３５】
基本平面を基準とした各レーザー光の出射角は、入射角と同一の角度であるが、符号が反対になっている。なお、同一のグループに属した照射光Ｅ１、Ｅ２の各出射角は、角度の大きさは等しいが、符号が反対になっている。たとえば、Ｅ１の出射角は＋θであるが、Ｅ２の出射角は−θである。なお、Ｅ１の入射角は−θであるが、Ｅ２の入射角は＋θである。
【００３６】
経験的に、基本平面と偏向走査されたレーザー光との相対角度は、画像性能上３°以下が良いとされている。本実施形態では、光学的な特性をそろえるため、斜入射角を互いに反対かつ同一の角度としている。ここで、ポリゴンミラー５０での反射位置は、図４Ａによれば、Ｅ１、Ｅ２とも同一の反射位置となっているが、図４Ｂによれば、Ｅ１、Ｅ２とも異なる反射位置となっている。すなわち、Ｅ１の反射位置とＥ２の反射位置との距離は、Δｘとなっている。後者の場合、分離用の折り返しミラー５２ｂの位置をより手前に配置することが可能となるメリットがある。
【００３７】
ポリゴンミラー５０から出射した４本のレーザー光（１つの感光ドラムに対して２本のレーザー光）は、第一の結像レンズ５３を透過する。そのうち、感光ドラム寄り（図の上方）を通過する２本のレーザー光は分離用の折り返しミラー５２ｂで下方向に反射される。第一の結像レンズ５３は、複数のレーザー光が互いに異なる角度で入射するためシリンダーレンズで構成されている。その後、この２本のレーザー光は、第二の結像レンズ５４により結像され、さらに、折り返しミラー５２ｃによって再反射され、第一の結像レンズ５３の横を通過し、照射光Ｅ２となって感光ドラム２ｃ上に照射される。
【００３８】
一方で、照射光Ｅ１となる残りの２本のレーザー光は、分離用の折り返しミラー５２ｂの直下を通過し、第二の結像レンズ５５を透過した後に折り返しミラー５２ａで感光ドラム２ｄへ照射される。なお、分離用の折り返しミラーは、４本のレーザー光が各部品公差やポリゴンモータの面倒れ等によって光束のケラレが発生しない位置に配置されている。
【００３９】
感光ドラム側のレーザー光を下側、つまり感光ドラムから遠ざかる方向に反射させ、かつ、ポリゴンミラーからの全てのレーザー光を横切るような光路設計とすることで、光学系をコンパクト化できる。一方、折り返しミラー間に第二の結像レンズ５４を配置することで、折り返しミラーの長手方向の長さを短くすることができる。また、これによって、レンズを配置するために、空間を有効に利用でき、レーザー露光装置７を薄型化することができる。
【００４０】
図６は、レーザー露光装置の平面図である。図６においてＢＤセンサ２１４はレーザーユニット２１７のドライバ基板上に実装されている。レーザーユニット２１７は、複数のレーザー素子（レーザーダイオード）を備えている。よって、レーザーユニット２１７又はそのレーザー素子は、複数の像担持体のそれぞれに複数の光束を射出する複数の光源の一例である。
【００４１】
とりわけ、ＢＤセンサ２１４は、感光ドラム２ｄの走査開始側に取り付けられている。これによって、ＢＤセンサ２１４は、照射光Ｅ１を検知することになる。他の感光ドラム２ａ〜２ｃに関するレーザーの同期信号は、このＢＤ信号を元に生成される。
【００４２】
図６のように、各レーザー光を同じ方向から照射すると、Ｙ用の感光ドラム２ａの走査方向と、Ｍ用の感光ドラム２ｂの走査方向は同一方向となる。同様に、Ｃ用の感光ドラム２ｃの走査方向と、Ｋ用の感光ドラム２ｄの走査方向も動一方向となる。ただし、前者の走査方向と後者の走査方向とでは向きが反対となる。よって、Ｙ用とＭ用のビデオデータの２ライン分（レーザー本数分）は、ＬＩＦＯ（Ｌａｓｔ Ｉｎ Ｆｉｒｓｔ Ｏｕｔ）メモリ等に入れて、画像の順番を入れ替える必要がある。
【００４３】
図３ないし図６においては、１つの感光ドラムにつき２本のレーザー光を使用することを前提として説明したが、レーザー光の本数が３本以上であってもよい。また、２１７’は、レーザーユニット２１７の正面を示している。この正面図によれば、４つの筒が示されているが、各筒には、２つのレーザー素子が設けられている。すなわち、全体としては、８本のレーザー光が射出されることになる。
【００４４】
図７は、レーザー露光装置のレーザー駆動回路の一例を示す図である。レーザーユニット２１７は、２つのビームを出力するために、光源としてのレーザーダイオード７３Ａ、７３Ｂを備えている。レーザーユニット２１７は、光量センサとしてのフォトダイオード７３Ｃも備えている。
【００４５】
電流制御部に関しては、２つのレーザーダイオード７３Ａ、７３Ｂに対応した数の制御回路が搭載されている。各制御回路は、バイアス電流源７１Ａ、７１Ｂとパルス電流源７２Ａ、７２Ｂを対応するレーザーダイオード７３Ａ、７３Ｂに供給することで、レーザーダイオード７３Ａ、７３Ｂの発光特性の改善を図っている。
【００４６】
レーザーの発光を安定化させるために、フォトダイオード７３Ｃからの出力信号を用いてパルス電流源７２Ａ、７２Ｂに帰還をかけ、レーザー点灯時のパルス電流量の自動制御が実行される。フォトダイオード７３Ｃは１つなので、シーケンスコントローラ７７によりレーザーダイオード７３Ａ、７３Ｂを時分割制御することで、２つのレーザーダイオードの光量制御を行う。
【００４７】
次に、レーザーダイオードの光量調整について詳細に説明する。レーザーダイオード７３Ａ、７３Ｂの制御は同様であるため、ここでは、レーザーダイオード７３Ａについて説明する。レーザーダイオード７３Ａのパルス電流量を制御する際に、まず、シーケンスコントローラ７７は、スイッチ８１をＯＮし、ＦＢラインをアクティブにする。これにより、フィードバックループが形成される。さらに、シーケンスコントローラ７７は、論理素子７０ＡにＯＮ信号をスイッチ７９Ａへ出力させる。これにより、ＦＵＬＬ＿Ａラインがアクティブになる。
【００４８】
この状態で、バイアス電流源７１Ａとパルス電流源７２Ａからの電流の和がレーザーダイオード７３Ａへ流れる。さらに、レーザーダイオード７３Ａが発光すると、フォトダイオード７３Ｃが光量に応じた出力信号を出力する。出力信号は、電流電圧変換器７４に入力され、ついで増幅器７５で増幅され、ＡＰＣ回路７６に入力される。ＡＰＣ回路７６は、入力信号と目標値とを比較し、比較結果に応じた制御信号をパルス電流源７２Ａに供給する。入力信号と目標値とが一致すると、レーザーダイオード７３Ａには、目標光量で発光するようなパルス電流が供給される。ＡＰＣは、自動光量制御の略であり、レーザーを目標光量に維持する技術として一般的に使用されている。
【００４９】
一般に、レーザーは温度特性を持っているため、温度が高くなるほど一定の光量を得るための電流量が増加する。また、レーザーは自己発熱するため、一定の電流を供給するだけでは一定の光量を得ることができない。よって、これらの特性は画像形成に重大な影響を及ぼす。このことを解決する手段として、１つの走査ごとにＡＰＣを実行することで、各走査における発光光量が一定になるように電流量が制御されている。１つの走査とは、ポリゴンミラーにおける１つの反射面による走査を意味する。一般に、１つの走査周期は、画像を形成する画像期間と画像を形成しない非画像期間とからなる。ＡＰＣは、非画像期間において実行される。
【００５０】
こうして一定光量制御されたレーザー光に対して、画素変調部７８Ａでパルス幅変調されたデータでスイッチ７９ＡをＯＦＦ／ＯＮすることで、画像信号に応じた光量のレーザー光が出力され、感光ドラム上に静電潜像が形成される。
【００５１】
以下では、本発明の原理を判りやすく説明する。本発明の基本原理は、複数の像担持体でそれぞれ走査方向が異なる場合に、それぞれに適用されるレーザーの射出タイミングの補正量と補正方向との組み合わせを工夫することで、全体としての主走査方向における書き出し位置のズレ量を低減するものである。たとえば、遅れ方向の補正量（遅れ補正量）と進み方向の補正量（進み補正量）との組み合わせのうち、最も早い射出タイミングと最も遅い射出タイミングとの差が最小となる組み合わせを選択すれば、理論的には、ズレ量が最小となる。
【００５２】
なお、画像形成装置１００は、タンデム式の多色画像形成装置であるが、以下では、説明の簡潔化のために、Ｋ用とＹ用の感光ドラム２ａ、２ｄについて説明する。感光ドラム２ａ、２ｄでは、走査方向が相互に逆であることはすでに説明した通りである。
【００５３】
図８は、ＢＤ信号に対するレーザー駆動タイミングの一例を示した図である。レーザー駆動タイミングは、レーザー光を射出するタイミングであり、また、レーザー光による潜像の書き出しタイミングでもある。一般に、これらのタイミングは、ＣＰＵ２０１によって決定される。よって、ＣＰＵ２０１は、各光源において像担持体へ光束を射出するタイミングを同期信号から決定する射出タイミング決定手段の一例である。なお、本実施形態では、１つの感光ドラムにつき２つの光源（例：レーザーダイオード）を使用することを想定している。ここでは、感光ドラムごとの２つの光源を、Ｋ用のレーザーＡ，Ｂ、Ｙ用のレーザーＡ，Ｂと呼ぶことにする。
【００５４】
ＢＤ信号は、上述したように、ＢＤセンサ２１４から出力される基準信号である。本実施形態では、ＣＰＵ２０１が、ＢＤ信号に対して画像クロックで同期をとった同期信号（同期ＢＤ信号）を生成し、この同期ＢＤ信号に基づいてレーザー駆動信号の出力タイミング（レーザー光の射出タイミング）を制御する。すなわち、主走査方向における画像の書き出し位置は、同期ＢＤ信号に連動しているといえる。なお、ＣＰＵ２０１に代えて、同期信号生成回路を設け、これが同期信号を生成してもよい。
【００５５】
図８では、ＢＤ信号と同期ＢＤ信号の差がほとんどない、理想状態が示されている。同期ＢＤ信号を基準に、感光ドラム上の正しい位置に潜像を形成するようにＴ１が設定される。すなわち、Ｔ１は、Ｋ用のレーザーＡ（レーザーダイオード７３Ａ）についての同期ＢＤ信号の立下りから書き出しまでの時間を示している。
【００５６】
ところで、複数のレーザー素子がマトリクス状に配置されたＶＣＳＥＬ（垂直共振器面発光レーザー）などのマルチビームレーザーを採用すると、マルチビームレーザーを所定角度回転させるだけで、異なる解像度で画像を形成することができる。ここで、回転とは、複数のレーザー素子が配置されている端面を、その法線方向を回転軸として回転させることをいう。
【００５７】
ただし、回転後と回転前とでは、各レーザー素子の書き出しタイミングを調整する必要がある。これは、各レーザー素子の位置が回転するため、感光ドラムに対する光学的な位置関係が変化するためである。なお、Ｔ２は、Ｋ用のレーザーＢ（レーザーダイオード７３Ｂ）についての同期ＢＤ信号の立下りから書き出しまでの時間を示している。Ｔ２がＴ１と異なるのは、レーザーユニットの回転にともなう光学的な位置関係に起因した時間的なズレ（書き出し位置のズレ）を補正するためである。すなわち、感光ドラム上におけるＫ用のレーザーＡの書き出し位置とＫ用のレーザーＢの書き出し位置とが一致するように、Ｔ２の値が決定される。
【００５８】
Ｙ用のレーザーは、不図示の擬似ＢＤ信号生成回路がＫ用の同期ＢＤ信号から生成した擬似的なＢＤ信号（以下、擬似ＢＤ信号）に基づいて発光する。擬似ＢＤ信号は、図６に示したようにＫとＹとでは走査方向が逆になる。そのため、擬似ＢＤ信号生成回路は、それを考慮した上で擬似ＢＤ信号を生成する。擬似ＢＤ信号生成回路は、第３光源及び第４光源の基準信号として、基準光束についての基準信号から擬似的な基準信号を生成する擬似基準信号出力手段の一例である。擬似ＢＤ信号生成回路の機能をＣＰＵ２０１が備えてもよい。
【００５９】
図８に示すように擬似ＢＤ信号を基準として、Ｙ用のレーザーＡの書き出しタイミングであるＴ３が設定される。Ｋ用のレーザーＢと同様に、Ｙ用のレーザーＢの書き出しタイミングを調整するようにＴ４が決定される。
【００６０】
Ｋ用のレーザーユニットの走査方向と、Ｙ用のレーザーユニットの走査方向とでは、逆方向である。よって、Ｋ用のレーザーでは、同期ＢＤ信号に対して１画素目からＮ画素目へと順番に画素データが出力される。一方で、Ｙ用のレーザーでは、擬似ＢＤ信号に対してＮ画素目（最終画素）から１画素目へと順番にデータが出力される。
【００６１】
図９は、各レーザーにより形成された画像の一例を示す図である。図から、Ｋ用のレーザーＡとＹ用のレーザーＡの１画素目が重なりあっていることがわかる。また図によれば、４つのレーザーにより形成された各画像のズレが最大値Ｘａとなるのは、Ｋ用のレーザーＢとＹ用のレーザーＢとの間のズレである。
【００６２】
図１０は、ＢＤ信号に対するレーザー駆動（画像データ）タイミングの他の例を示した図である。図１０には、ＢＤ信号に対する同期ＢＤ信号の時間的な差（誤差）が、Ｔ５であるケースが示されている。誤差は、同期させる画像クロックの周期に応じて異なる。
【００６３】
図１０に示すようにＢＤ信号と擬似ＢＤ信号は同一の画像クロックから生成されるため、同期している。同期ＢＤ信号や擬似ＢＤ信号に対する各レーザーの駆動制御は図８に示したとおりである。しかし、ＢＤ信号と同期ＢＤ信号に誤差Ｔ５が生じているため、感光ドラム上に形成される画像のズレは、図９に示したズレとは異なる。
【００６４】
図１１は、ＢＤ信号と同期ＢＤ信号との差がＴ５である場合に各レーザーにより形成された画像の一例を示す図である。Ｋ用のレーザーとＹ用のレーザーとでは、感光ドラム上における走査方向が逆であるため、Ｔ５×２の時間差に相当する距離だけ画像の形成位置がずれてしまう。４つのレーザー間におけるズレの最大値Ｘｂは、Ｋの用のレーザーＢとＹ用のレーザーＢとの間のズレである。ちなみに、Ｘｂは、Ｘａ＋（Ｔ５×２）となる。なお、Ｘｂ、Ｘａは時間軸上でのズレであるが、距離に換算するには、感光ドラム表面における照射光の走査速度を乗算すればよい。
【００６５】
図１２は、実施形態に係る書き出しタイミングの制御例を示したタイミングチャートである。ＢＤ信号に対する同期ＢＤ信号の誤差はＴ５とする。本実施形態では、Ｋ用のレーザーＢがＫ用のレーザーＡに対して遅れて（Ｔ１＜Ｔ２）出力されているときに、Ｙ用のレーザーＢはＹ用のレーザーＡに対して先行して画像を書き出す（Ｔ３＞Ｔ４’）。
【００６６】
Ｙ用のレーザーＢの書き出しタイミングＴ４’は、レーザーＡ，Ｂ間のズレ量Δ（Δ＝Ｔ４−Ｔ３）を用いて表現できる。遅れ方向の補正量Ｚａと進み方向の補正量Ｚｂは次式により算出される。
【００６７】
Ｚａ＝Δ−ｎ・Ｗ（ただし、Δ−ｎ・Ｗは、正である。また、Δ−ｎ・Ｗの最小値よりも元々のズレ量が小さければ、Ｚａ＝Δである。）
Ｚｂ＝Δ−ｎ・Ｗ（ただし、Δ−ｎ・Ｗは、負であり、Δ−ｎ・Ｗの絶対値が最小値となるときのΔ−ｎ・Ｗが算出すべきＺｂとなる。）
ここで、Ｗは、補正の最小単位である。ｎは、ゼロ又は任意の自然数である。
ここで、後述するように、Ｔ３＞Ｔ４’の関係が成り立つことを前提とすれば、補正量は、進み方向の補正量Ｚｂとなる。
【００６８】
このように、遅れ方向の補正量は、最小単位のｎ倍（ｎは自然数）をズレ量から減算したときの差のうち負とならない最小値と、ズレ量そのものとのうち相対的に小さいほうの値であるともいえる。また、進み方向の補正量は、最小単位のｎ倍（ｎは自然数）をズレ量から減算したときの差のうち、符号が負となり、かつ、差の絶対値が最小となる値であるともいえる。
【００６９】
図１３は、実施形態を適用したときの各レーザーにより形成された画像の一例を示す図である。４つのレーザー間のズレが最大値Ｘｃとなるのは、Ｋ用のレーザーＢとＹ用のレーザーＡとの間のズレである。
【００７０】
Ｘｃ＝  Ｔ５×２  ＋  （Ｋ用のレーザーＡ、Ｂ間のズレ量）
すなわち、マルチビームレーザーを使用する画像形成装置では、基準となる色に対応したＫ用のレーザーＡ、Ｂ間のズレの方向（進んでいるか／遅れているか）に対して、それとは走査方向が逆であるＹ用のレーザーＡ、Ｂ間のズレを逆方向に補正にする。これにより、全体としてのズレ量を低減することが可能となる。すなわち、最も早い射出タイミング（Ｙ用のレーザーＡ）と最も遅い射出タイミング（Ｋ用のレーザーＢ）との差Ｘｃが最小となるように補正すれば、色ずれが効率よく低減される。各光源における射出タイミングを補正する際に使用する遅れ補正量と進み補正量との組み合わせは種々存在する。よって、差Ｘｃが最小となるような、組み合わせを選択すれば好ましいといえる。
【００７１】
ここでは、Ｋ用のレーザーとＹ用のレーザーについて説明したが、基準となるＫ用のレーザーに対して、逆方向に走査する他の色用のレーザーに関しても、本実施形態に係る技術思想を適用すれば、同様の効果が得られる。
【００７２】
図１４は、Ｙ，Ｍ，Ｃ，Ｋのそれぞれに対応した各レーザーユニットに含まれる２つのレーザーダイオード（レーザーＡ、Ｂ）間のズレ量、書き出しタイミングの補正量及び走査方向を示した図である。１つの感光ドラムにつき複数のレーザーダイオードを使用するケースでは、目標解像度に応じた副走査方向のピッチを実現するためレーザーユニット２１７を回転させる。これが、主走査方向において書き出し位置のズレをもたらすことは既に説明した通りである。
【００７３】
ここでは、説明の便宜上、主走査方向の解像度を６００ｄｐｉとし、書き出しタイミングの分解能を１／２画素（２１．１５μｍ）と想定する。さらに、Ｋ用のレーザーユニットについてレーザーＡ、Ｂ間のズレ量が５μｍあったとする。また、書き出し位置についての補正可能な最小単位Ｗが２１．１５μｍであったとする。この場合、レーザーＡに対するレーザーＢの補正量の最小値は、進み方向の補正量Ｚｂ＝１６．１５μｍ、遅れ方向の補正量Ｚａ＝５μｍとなる。
【００７４】
図１５は、遅れ方向の補正量と進み方向の補正量とを説明するための図である。実線の円は、基準となるレーザーＡのビームスポットを示す。波線の円は、補正対象となるレーザーＢのビームスポットを示している。ここでは、レーザーＡの中心を通り副走査方向に延びた線を境界として、その左側が進み方向であり、右側が遅れ方向を示している。すなわち、レーザーＢに進み方向の補正量Ｚｂを適用すれば、レーザーＡよりも先行してレーザーＢは画像の書き出しを開始する。一方、レーザーＢに遅れ方向の補正量Ｚａを適用すれば、レーザーＡよりも遅延してレーザーＢは画像の書き出しを開始する。
【００７５】
まず、Ｋ用のレーザーユニットには、最小値である遅れ方向の補正量（５μｍ）が適用されるため、レーザーＡに対するレーザーＢの書き出しタイミングを５μｍに相当する時間だけ遅らせる。
【００７６】
図１４によれば、ＫとＣの走査方向は基準方向と同一であるが、ＹとＭの走査方向は基準方向に対して逆方向である。よって、ＹとＭに関しては、進み方向の遅れ量を適用すれば、ＹＭＣＫの全体としてのズレ量が最小となる。図１４によれば、Ｙの進み補正量Ｚｂは３．１５μｍであり、Ｍの進み補正量Ｚｂは１３．１５μｍである。よって、これらの補正量がそれぞれ適用されることになる。
【００７７】
なお、図１４によれば、Ｍに関しては、レーザーＡ、Ｂ間のズレ量よりも進み方向の補正量Ｚｂが大きいため、Ｚｂは、Δ、Ｚａ及びＺｂのうちでの最小値ではない。しかし、基準となるＫ用のレーザーＡ、Ｂのズレ量と、Ｍ用のレーザーＡ、Ｂのズレ量との関係では、たとえば、図１３に示したように、全体としてのズレ量が最小になるように制御される。
【００７８】
図１４によれば、遅れ方向の補正量Ｚａと進み方向の補正量Ｚｂとの和は、補正の最初単位Ｗとなっている。よって、進み補正量Ｚｂは、遅れ補正量Ｚａと補正の最小単位との差としてＣＰＵ２０１によって算出されてもよい。
【００７９】
図１６は、実施形態に係る画像形成装置の制御方法の一例を示ししたフローチャートである。ステップＳ１６０１で、画像形成装置の電源が投入される。ステップＳ１６０２で、ＣＰＵ２０１は、画像形成のためのイニシャル動作を実行する。イニシャル動作とは、たとえば、搬送ローラなどが正しく回転するか否かのテスト、搬送パスに記録媒体が残留しているか否かの検知などがある。
【００８０】
ステップＳ１６０２で、ＣＰＵ２０１は、各レーザーユニットのレーザーＡ、Ｂ間のズレ量を測定する。たとえば、ＣＰＵ２０１は、レーザーＡとＢとを交互に点灯させるようシーケンスコントローラ７７に指示する。この指示に応じて、シーケンスコントローラ７７は、レーザーＡを点灯させ、所定時間後にレーザーＢを点灯させる。ＢＤセンサ２１４は、まず、レーザーＡからの照射光を受光してＢＤ信号をＣＰＵ２０１に向けて出力し、次に、レーザーＢからの照射光を受光してＢＤ信号を出力する。ＣＰＵ２０１は、これら２つのＢＤ信号間の時間差と所定時間との差をズレ量として測定する。レーザーユニットごとにＢＤセンサが設けられている場合、ＣＰＵ２０１は、レーザーユニットごとにレーザーＡ、Ｂ間のズレ量を測定する。このように、ＣＰＵ２０１は、複数の像担持体のうち第１像担持体に対する光束を射出する第１光源及び第２光源についてそれぞれの射出タイミング間のズレ量を測定する測定手段の一例である。また、ＣＰＵ２０１は、複数の像担持体のうち第２像担持体に対する光束を射出する第３光源及び第４光源についてそれぞれの射出タイミング間のズレ量を測定する測定手段の一例である。なお、第１光源及び第２光源は、たとえば、Ｋ用のレーザーユニットにおけるレーザーＡ、Ｂである。また、第３光源及び第４光源は、たとえば、Ｙ用のレーザーユニットにおけるレーザーＡ、Ｂである。
【００８１】
なお、ＢＤセンサが１つしかない場合は、工場出荷時に、レーザーユニットごとにレーザーＡ、Ｂ間のズレ量が測定され、ＲＯＭ２０３に格納される。工場出荷時に測定が完了している場合は、ステップＳ１６０２は不要である。このようにズレ量は、測定または読み出すことにより取得される。
【００８２】
ステップＳ１６０３で、ＣＰＵ２０１は、各レーザーユニットについて、遅れ補正量Ｚａ及び進み補正量Ｚｂを算出してテーブル（図１４）を作成し、ＲＡＭ２０４又はＲＯＭ２０３に格納する。
【００８３】
ステップＳ１６０４で、ＣＰＵ２０１は、基準となるレーザーユニット（例：Ｋ）の遅れ補正量（ズレ量）をテーブルから読み出すことで、基準となるレーザーユニットの補正量を決定する。この補正量は、レーザーＡの書き出しタイミングに対するレーザーＢの書き出しタイミングの遅延量である。
【００８４】
ステップＳ１６０５で、ＣＰＵ２０１は、他のレーザーユニット（例：ＹＭＣ）についての補正量を決定する。たとえば、ＣＰＵ２０１は、基準となるレーザーユニットのレーザーＢの書き出しタイミングがレーザーＡに対し進み方向か遅れ方向かに応じて、他のレーザーユニットにおけるレーザーＢの書き出しタイミングの補正量を決定する。
【００８５】
たとえば、上述したように基準となるレーザーユニットの補正量が遅れる方向であれば、走査方向が同一である他のレーザーユニットの補正量も遅れる方向となる。しかし、走査方向が逆である他のレーザーユニットの補正量は進み方向となる。すなわち、ＣＰＵ２０１は、第１光源と同一の反射面を利用する他の光源については遅れ補正量を適用して射出タイミングを補正しているといえる。また、ＣＰＵ２０１は、第１光源とは異なる反射面を利用する第３光源と第４光源とについては進み補正量を適用して射出タイミングを補正しているといえる。
【００８６】
反対に、基準となるレーザーユニットの補正量が進み方向であれば、走査方向が同一である他のレーザーユニットの補正量も進み方向となる。しかし、走査方向が逆である他のレーザーユニットの補正量は遅れ方向となる。これは、全体としてのズレ量を最小にするためである。よって、ＣＰＵ２０１は、第１光源と同一の反射面を利用する他の光源については進み補正量を適用して射出タイミングを補正する。またＣＰＵ２０１は、第１光源とは異なる反射面を利用する第３光源と第４光源とについては遅れ補正量を適用して各射出タイミングを補正することになる。
【００８７】
このように、ＣＰＵ２０１は、各光源について、射出タイミングを補正する際の最小単位とズレ量との差又はズレ量そのものを、射出タイミングを遅らせるための遅れ補正量として決定する補正量決定手段の一例である。また、ＣＰＵ２０１は、遅れ補正量と最小単位との差を、射出タイミングを進ませる進み補正量として決定する補正量決定手段の一例である。また、ＣＰＵ２０１は、各光源における射出タイミングを補正する際に使用する遅れ補正量と進み補正量との組み合わせのうち、最も早い射出タイミングと最も遅い射出タイミングとの差が最小となる組み合わせを選択している（図１３）。よって、ＣＰＵ２０１は、選択した組み合わせを用いて各光源の射出タイミングを補正する補正手段の一例である。
【００８８】
ステップＳ１６０６で、ＣＰＵ２０１は、プリントスタートが操作パネル２１８やＰＣなどから指示されるのを待つ。プリントスタートが指示されると、ステップＳ１６０７に進み、ＣＰＵ２０１は、画像形成を実行する。この際には、決定された補正量が各レーザーユニットに適用されて、各レーザーが発光し、画像が形成されることになる。
【００８９】
以上説明したように、本実施形態によれば、複数の像担持体における光束の射出タイミング間のズレ量が全体として略最小となる。よって、色ずれなどの画質の劣化を低減することが可能となる。
【００９０】
とりわけ、基準となる光源と走査方向（利用する反射面）が異なる光源については、基準光源における補正方向（遅れ方向／進み方向）とは反対の補正方向を適用することで、全体としてのズレ量が軽減される。
【００９１】
また、遅れ補正量を、補正の最小単位のｎ倍（ｎは自然数）を前記ズレ量から減算したときの差のうち負とならない最小値と、ズレ量そのものとのうち相対的に小さいほうの値とすれば、理論的には、ズレ量を最小にできる。
【００９２】
また、進み補正量を、ズレ量から補正の最小単位のｎ倍を減算したときの差のうち、符号が負となり、かつ、差の絶対値が最小となる値とすれば、理論的には、ズレ量を最小にできる。
【００９３】
とりわけ、本実施形態に係る発明は、ＢＤセンサを１つだけ備えている場合であっても効果的である。この場合、同期ＢＤ信号を生成する回路や擬似ＢＤ信号を生成する回路が設けられるため、レーザーユニット間でのズレ量が発生しやすくなる。しかし、本実施形態を適用すれば、全体としてのズレ量が削減されるため、コストダウンと両立することも可能となる。
【図面の簡単な説明】
【００９４】
【図１】本発明を適用できる電子写真方式でタンデム型の多色画像形成装置の概略構成図である。
【図２】従来の画像形成装置における制御ユニットのブロック図である。
【図３】レーザー露光装置と画像形成部とを説明するための図である。
【図４Ａ】ポリゴンミラー付近の拡大図である。
【図４Ｂ】ポリゴンミラー付近の拡大図である。
【図５】図３に示したレーザー露光装置７の一部を示した平面図である。
【図６】レーザー露光装置の平面図である。
【図７】レーザー露光装置のレーザー駆動回路の一例を示す図である。
【図８】ＢＤ信号に対するレーザー駆動タイミングの一例を示した図である。
【図９】各レーザーにより形成された画像の一例を示す図である。
【図１０】ＢＤ信号に対するレーザー駆動（画像データ）タイミングの他の例を示した図である。
【図１１】ＢＤ信号と同期ＢＤ信号との差がＴ５である場合に各レーザーにより形成された画像の一例を示す図である。
【図１２】実施形態に係る書き出しタイミングの制御例を示したタイミングチャートである。
【図１３】実施形態を適用したときの各レーザーにより形成された画像の一例を示す図である。
【図１４】Ｙ，Ｍ，Ｃ，Ｋのそれぞれに対応した各レーザーユニットに含まれる２つのレーザーダイオード（レーザーＡ、Ｂ）間のズレ量、書き出しタイミングの補正量及び走査方向を示した図である。
【図１５】遅れ方向の補正量と進み方向の補正量とを説明するための図である。
【図１６】実施形態に係る画像形成装置の制御方法の一例を示ししたフローチャートである。
【符号の説明】
【００９５】
１Ｙ，１Ｍ，１Ｃ，１Ｂｋ    画像形成部
２ａ，２ｂ，２ｃ，２ｄ      感光ドラム
３ａ，３ｂ，３ｃ，３ｄ      一次帯電器
４ａ，４ｂ，４ｃ，４ｄ      現像装置
５ａ，５ｂ，５ｃ，５ｄ      転写ローラ
６ａ，６ｂ，６ｃ，６ｄ      ドラムクリーナ装置）
７        レーザー露光装置
８        中間転写ベルト
１０      二次転写対向ローラ
１１      テンションローラ
１２      二次転写ローラ）
１６      定着装置
１７      給紙ユニット
１８      搬送パス
１００    画像形成装置
【図１】
2009126109.tif 000003
【図２】
2009126109.tif 000004
【図３】
2009126109.tif 000005
【図４Ａ】
2009126109.tif 000006
【図４Ｂ】
2009126109.tif 000007
【図５】
2009126109.tif 000008
【図６】
2009126109.tif 000009
【図７】
2009126109.tif 000010
【図８】
2009126109.tif 000011
【図９】
2009126109.tif 000012
【図１０】
2009126109.tif 000013
【図１１】
2009126109.tif 000014
【図１２】
2009126109.tif 000015
【図１３】
2009126109.tif 000016
【図１４】
2009126109.tif 000017
【図１５】
2009126109.tif 000018
【図１６】
2009126109.tif 000019